(57)【要約】（ａ１）成分、（ａ２）成分、及び（ａ３）成分を含有し、前記（ａ１）成分が、２−メチルウンデカナール、ルバフラン、及びファラオンからなる群から選択される少なくとも１種であり、前記（ａ２）成分が、ブルゲオナール、ロジラン、及びペオニールからなる群から選択される少なくとも１種であり、前記（ａ３）成分が、クマリン、ヒンジノール、及びカシュメランからなる群から選択される少なくとも１種であり、前記（ａ１）成分の含有量が、香料組成物の総質量に対し、０．０１質量％以上である、香料組成物。【特許請求の範囲】
【請求項１】
（ａ１）成分、（ａ２）成分、及び（ａ３）成分を含有し、
前記（ａ１）成分が、２−メチルウンデカナール、ルバフラン、及びファラオンからなる群から選択される少なくとも１種であり、
前記（ａ２）成分が、ブルゲオナール、ロジラン、及びペオニールからなる群から選択される少なくとも１種であり、
前記（ａ３）成分が、クマリン、ヒンジノール、及びカシュメランからなる群から選択される少なくとも１種であり、
前記（ａ１）成分の含有量が、香料組成物の総質量に対し、０．０１質量％以上である、香料組成物。
【請求項２】
前記（ａ１）成分の含有量が、香料組成物の総質量に対し、０．１〜０．５質量％であり、
前記（ａ２）成分の含有量が、香料組成物の総質量に対し、１〜２０質量％であり、
前記（ａ３）成分の含有量が、香料組成物の総質量に対し、１〜５質量％である、請求項１に記載の香料組成物。
【請求項３】
請求項１又は２の香料組成物を含む繊維製品処理剤。
【請求項４】
請求項１又は２の香料組成物を含む繊維製品用液体洗浄剤組成物。
【発明の詳細な説明】
【技術分野】
【０００１】
本発明は、香料組成物に関する。
本願は、２０１７年１２月８日に、日本に出願された特願２０１７−２３６１９３号に基づき優先権を主張し、その内容をここに援用する。
【背景技術】
【０００２】
高齢者や要介護者のいる家庭や介護施設では、尿臭や皮脂臭の混合臭気（以下、介護臭という）が問題となっている。衣類や寝具に付着した介護臭は、通常の洗濯では充分に除去できない。このような状況に鑑み、市場においては、介護臭のマスキング効果に優れた香料組成物が望まれている。【０００３】
特許文献１は、トップノート、ミドルノート、及びベースノートからなる群から選択される少なくとも１種以上の香料を含む香料組成物について提案している。特許文献１の香料組成物は、汗臭、腋集、頭髪臭、及び体臭などのマスキング効果を発揮する。
【先行技術文献】
【特許文献】
【０００４】
【特許文献１】特開２００２−３２７１９３号公報
【発明の概要】
【発明が解決しようとする課題】
【０００５】
しかしながら、特許文献１の組成物では、ｐ−クレゾールを含む介護臭のマスキング効果は充分ではない。
また、介護臭のマスキング効果に優れるだけでなく、香りとしての心地よさ（香りの調和度）も併せ持つことが望まれている。
本発明は上記事情に鑑みてなされたものであり、介護臭のマスキング効果に優れ、かつ、香りの調和度に優れる香料組成物を提供することを目的とする。
【課題を解決するための手段】
【０００６】
本発明者らは以下の香料組成物が、上記課題を解決できることを見出した。
すなわち本発明は、以下の態様を有する。
［１］  （ａ１）成分、（ａ２）成分、及び（ａ３）成分を含有し、
前記（ａ１）成分が、２−メチルウンデカナール、ルバフラン、及びファラオンからなる群から選択される少なくとも１種であり、
前記（ａ２）成分が、ブルゲオナール、ロジラン、及びペオニールからなる群から選択される少なくとも１種であり、
前記（ａ３）成分が、クマリン、ヒンジノール、及びカシュメランからなる群から選択される少なくとも１種であり、
前記（ａ１）成分の含有量が、香料組成物の総質量に対し、０．０１質量％以上である、香料組成物。
［２］  前記（ａ１）成分の含有量が、香料組成物の総質量に対し、０．１〜０．５質量％であり、
前記（ａ２）成分の含有量が、香料組成物の総質量に対し、１〜２０質量％であり、
前記（ａ３）成分の含有量が、香料組成物の総質量に対し、１〜５質量％である、［１］に記載の香料組成物。
［３］  前記（ａ１）成分の含有量が、香料組成物の総質量に対し、０．０１〜１質量％が好ましく、０．１〜０．５質量％がより好ましく、０．３〜０．５質量％がさらに好ましい、［１］に記載の香料組成物。
［４］  前記（ａ２）成分の含有量が、香料組成物の総質量に対し、１〜３０質量％が好ましく、３〜２５質量％がより好ましく、５〜２０質量％がさらに好ましく、１０〜２０質量％が特に好ましい、［１］又は［３］に記載の香料組成物。
［５］  前記（ａ３）成分の含有量が、香料組成物の総質量に対し、０．５〜１０質量％が好ましく、１〜５質量％がより好ましく、２〜５質量％がさらに好ましい、［１］、［３］及び［４］のいずれか一項に記載の香料組成物。
［６］  （ａ１）成分／（ａ２）成分で表される質量比が１／１００〜１／２が好ましく、３／１００〜１／２がより好ましく、５／１００〜１／１０がさらに好ましい、［１］〜［５］のいずれか一項に記載の香料組成物。
［７］  （ａ１）成分／（ａ３）成分で表される質量比が１／１００〜１／１が好ましく、５／１００〜１／２がより好ましく、１／１０〜１／５がさらに好ましい、［１］〜［６］のいずれか一項に記載の香料組成物。
［８］  （ａ２）成分／（ａ３）成分で表される質量比が１／２〜１０／１が好ましく、１／１〜１０／１がより好ましく、２／１〜５／１がさらに好ましい、［１］〜［７］のいずれか一項に記載の香料組成物。
［９］  前記（ａ１）成分、前記（ａ２）成分、及び前記（ａ３）成分の含有量の合計が、香料組成物の総質量に対し、１〜４０質量％が好ましく、２〜３０質量％がより好ましく、１５〜３０質量％がさらに好ましい、［１］〜［８］のいずれか一項に記載の香料組成物。
［１０］  さらに、その他の香料成分として、アルデヒドＣ−１２ラウリック、マンダリンアルデヒド、ダイナスコン、フルテート、オキサン、ダマスコンアルファ、ダマスコンデルタ、シクラメンアルデヒド、リリアール、フロラルオゾン、ヤラヤラ、メチルアンソラニレート、シクラセット、オイゲノール、ジハイドロオイゲノール、アニスアルデヒド、シンナミックアルデヒド、バクダノール、カラナール、アンバーマックス、イソブチルキノリン、ガンマーウンデカラクトン、ガンマーデカラクトン、ガンマーノナラクトン、バニリン、リナロール、リグストラール、マンザネート、メチルイオノンガンマー、テトラヒドロリナロール、ベルドックス、テサロン、シトロネリルニトリル、シクロヘキシルサリチレート、ガラクソリド、へディオン、ヘキシルサリチレート、イソ・イー・スーパー、オレンジオイル、フェニルエチルアルコール、ラズベリーケトン、及びスチラリルアセテートからなる群から選択される少なくとも一種の香料成分を含む、［１］〜［９］のいずれか一項に記載の香料組成物。
［１１］  前記その他の香料成分の含有量が、香料組成物の総質量に対し、５〜３０質量％が好ましく、１０〜２０質量％がより好ましい、［１０］に記載の香料組成物。
［１２］  前記その他の香料成分の含有量が、香料組成物の総質量に対し、０．１〜９０質量％が好ましく、３０〜９０質量％がより好ましく、６０〜８０質量％がさらに好ましい、［１０］に記載の香料組成物。
［１３］  ［１］〜［１２］のいずれか一項に記載の香料組成物を含む繊維製品処理剤。
［１４］  さらに界面活性剤（Ｂ）を含む、［１３］に記載の繊維製品処理剤。
［１５］  前記香料組成物の含有量が、繊維製品処理剤の総質量に対し、０．００１〜２質量％である、［１３］又は［１４］に記載の繊維製品処理剤。
［１６］  ［１］〜［１２］のいずれか一項に記載の香料組成物を含む繊維製品用液体洗浄剤組成物。
［１７］  さらに界面活性剤（Ｂ）を含む、［１６］に記載の繊維製品用液体洗浄剤組成物。
［１８］  さらに有機カルボン酸（Ｃ）を含む、［１６］又は［１７］に記載の繊維製品用液体洗浄剤組成物。
［１９］  さらに酸化防止剤（Ｄ）を含む、［１６］〜［１８］のいずれか一項に記載の繊維製品用液体洗浄剤組成物。
［２０］  前記香料組成物の含有量が、繊維製品用液体洗浄剤組成物の総質量に対し、０．１〜１質量％が好ましく、０．２〜０．５質量％がより好ましい、［１６］〜［１９］のいずれか一項に記載の繊維製品用液体洗浄剤組成物。
［２１］  前記（Ｂ）成分の含有量が、繊維製品用液体洗浄剤組成物の総質量に対し、２．５質量％以上が好ましく、２．５〜２０質量％がより好ましく、３〜１５質量％がさらに好ましく、４〜１０質量％が特に好ましい、［１６］〜［２０］のいずれか一項に記載の繊維製品用液体洗浄剤組成物。
［２２］  前記（Ｃ）成分の含有量が、繊維製品用液体洗浄剤組成物の総質量に対し、５質量％以上が好ましく、５〜２０質量％がより好ましく、７〜１２質量％がさらに好ましい、［１６］〜［２１］のいずれか一項に記載の繊維製品用液体洗浄剤組成物。
［２３］  前記（Ｄ）成分の含有量が、繊維製品用液体洗浄剤組成物の総質量に対し、０．０００１〜０．２質量％が好ましく、０．００１〜０．０５質量％が好ましい、［１６］〜［２２］のいずれか一項に記載の繊維製品用液体洗浄剤組成物。
【発明の効果】
【０００７】
本発明によれば、介護臭のマスキング効果に優れ、かつ、香りの調和度に優れる香料組成物を提供することができる。
【発明を実施するための形態】
【０００８】
≪香料組成物≫
本発明の香料組成物は、以下の（ａ１）成分、（ａ２）成分、及び（ａ３）成分を含有する。
＜（ａ１）成分＞
（ａ１）成分は、２−メチルウンデカナール（２−ｍｅｔｈｙｌｕｎｄｅｃａｎａｌ）、ルバフラン（Ｒｈｕｂａｆｕｒａｎ：２，４−ｄｉｍｅｔｈｙｌ−４−ｐｈｅｎｙｌｏｘｏｌａｎｅ）、及びファラオン（Ｐｈａｒａｏｎｅ：２−ｃｙｃｌｏｈｅｘｙｌ−１，６−ｈｅｐｔａｄｉｅｎ−３−ｏｎｅ）からなる群から選択される少なくとも１種である。
【０００９】
（ａ１）成分は、１種類を単独で用いてもよく、２種類以上を組合わせて用いてもよい。
好ましい組み合わせとしては、２−メチルウンデカナールとルバフランとファラオンとの組み合わせ、２−メチルウンデカナールとルバフランとの組み合わせ、２−メチルウンデカナールとファラオンとの組み合わせ、及びルバフランとファラオンとの組み合わせが挙げられる。
【００１０】
（ａ１）成分の含有量は、香料組成物の総質量に対し、０．０１質量％以上であり、０．１質量％以上が好ましく、０．３質量％以上がより好ましい。（ａ１）成分の含有量の上限値は、１質量％以下が好ましく、０．５質量％以下がより好ましい。具体的には、（ａ１）成分の含有量は、香料組成物の総質量に対し、０．０１〜１質量％が好ましく、０．１〜０．５質量％がより好ましく、０．３〜０．５質量％がさらに好ましい。
（ａ１）成分が上記下限値以上であると、トップノートが介護臭のマスキング効果に優れるため好ましい。
（ａ１）成分の含有量が上記上限値以下であると、トップノートで香りの調和を崩さず介護臭マスキング効果を得ることができる。
【００１１】
＜（ａ２）成分＞
（ａ２）成分は、ブルゲオナール（Ｂｏｕｒｇｅｏｎａｌ：３−（４−ｔｅｒｔ−ｂｕｔｙｌｐｈｅｎｌ）ｐｒｏｐｉｏｎａｌｄｅｈｙｄｅ）、ロジラン（Ｒｏｓｙｒａｎｅ：４−ｍｅｔｈｙｌ−６−ｐｈｅｎｙｌ−５，６−ｄｉｈｙｄｒｏ−２Ｈ−ｐｙｒａｎ）、及びペオニール（Ｐｅｏｎｉｌｅ：２−ｃｙｃｌｏｈｅｘｙｌｉｄｅｎ−２−ｐｅｎｙｌａｃｅｔｏｎｉｔｒｉｌｅ）からなる群から選択される少なくとも１種である。
【００１２】
（ａ２）成分は、１種類を単独で用いてもよく、２種類以上を組合わせて用いてもよい。
好ましい組み合わせとしては、ブルゲオナールとロジランとペオニールとの組み合わせ、ブルゲオナールとロジランとの組み合わせ、ブルゲオナールとペオニールとの組み合わせ、及びロジランとペオニールとの組み合わせが挙げられる。
【００１３】
（ａ２）成分の含有量は、香料組成物の総質量に対し、１質量％以上が好ましく、３質量％以上がより好ましく、５質量％以上がさらに好ましく、１０質量％以上が特に好ましい。（ａ２）成分の含有量の上限値は、３０質量％以下が好ましく、２５質量％以下がより好ましく、２０質量％以下がさらに好ましい。具体的には、（ａ２）成分の含有量は、香料組成物の総質量に対し、１〜３０質量％が好ましく、３〜２５質量％がより好ましく、５〜２０質量％がさらに好ましく、１０〜２０質量％が特に好ましい。
（ａ２）成分の含有量が上記下限値以上であると、ミドルノートが介護臭のマスキング効果に優れるため好ましい。
（ａ２）成分の含有量が上記上限値以下であると、ミドルノートで香りの調和を崩さず介護臭マスキング効果を得ることができる。
【００１４】
（ａ１）成分／（ａ２）成分で表される質量比（以下、ａ１／ａ２比ともいう）は、１／１００〜１／２が好ましく、３／１００〜１／２がより好ましく、５／１００〜１／１０がさらに好ましい。
ａ１／ａ２比が上記範囲内であると、トップノートとミドルノートの香りの調和を崩さず介護臭マスキング効果を得ることができる。
【００１５】
＜（ａ３）成分＞
（ａ３）成分は、クマリン（Ｃｏｕｍａｒｉｎ：２Ｈ−１−ｂｅｎｚｏｐｙｒａｎ−２−ｏｎｅ）、ヒンジノール（Ｈｉｎｄｉｎｏｌ：（２Ｅ）−２−ｍｅｔｈｙｌ−４−［（１Ｒ）−２，３，３−ｔｒｉｍｅｔｈｙｌ−３−ｃｙｃｌｏｐｅｎｔｅｎｙｌ］−２−ｂｕｔｅｎｅ−１−ｏｌ）、及びカシュメラン（Ｃａｓｈｍｅｒａｎ：１，２，３，５，６，７−ｈｅｘａｈｙｄｒｏ−１，１，２，３，３−ｐｅｎｔａｍｅｔｈｙｌ−４Ｈ−ｉｎｄｅｎ−４−ｏｎｅ）からなる群から選択される少なくとも１種である。
【００１６】
（ａ３）成分は、１種類を単独で用いてもよく、２種類以上を組合わせて用いてもよい。
好ましい組み合わせとしては、クマリンとヒンジノールとカシュメランとの組み合わせ、クマリンとヒンジノールとの組み合わせ、クマリンとカシュメランとの組み合わせ、及びヒンジノールとカシュメランとの組み合わせが挙げられる。
【００１７】
（ａ３）成分の含有量は、香料組成物の総質量に対し、０．５質量％以上が好ましく、１質量％以上がより好ましく、２質量％以上がさらに好ましい。（ａ３）成分の含有量の上限値は、１０質量％以下が好ましく、５質量％以下がより好ましい。具体的には、（ａ３）成分の含有量は、香料組成物の総質量に対し、０．５〜１０質量％が好ましく、１〜５質量％がより好ましく、２〜５質量％がさらに好ましい。
（ａ３）成分の含有量が上記下限値以上であると、ベースノートが介護臭のマスキング効果に優れるため好ましい。
（ａ３）成分の含有量が上記上限値以下であると、ベースノートで香りの調和を崩さず介護臭マスキング効果を得ることができる。
【００１８】
（ａ１）成分／（ａ３）成分で表される質量比（以下、ａ１／ａ３比ともいう）は、１／１００〜１／１が好ましく、５／１００〜１／２がより好ましく、１／１０〜１／５がさらに好ましい。
ａ１／ａ３比が上記範囲内であると、トップノートとベースノートの香りの調和を崩さず介護臭マスキング効果を得ることができる。
【００１９】
（ａ２）成分／（ａ３）成分で表される質量比（以下、ａ２／ａ３比ともいう）は、１／２〜１０／１が好ましく、１／１〜１０／１がより好ましく、２／１〜５／１がさらに好ましい。
ａ２／ａ３比が上記範囲内であると、ミドルノートとベースノートの香りの調和を崩さず介護臭マスキング効果を得ることができる。
【００２０】
（ａ１）成分、（ａ２）成分、及び（ａ３）成分の含有量の合計は、香料組成物の総質量に対し、１〜４０質量％が好ましく、２〜３０質量％がより好ましく、１５〜３０質量％がさらに好ましい。
（ａ１）成分、（ａ２）成分、及び（ａ３）成分の含有量の合計が上記範囲内であると、トップノート、ミドルノート、及びベースノートの香り全体の調和を崩さず介護臭マスキング効果を得ることができる。
【００２１】
本発明の香料組成物は、（ａ１）成分が２−メチルウンデカナールを含み、（ａ２）成分がブルゲオナール及びペオニールを含み、（ａ３）成分がクマリンを含むことが好ましい。
本発明の香料組成物が、上記（ａ１）成分、（ａ２）成分、及び（ａ３）成分の組み合わせを含むことにより、介護臭のマスキング効果をより向上でき、せっけんタイプの香りを付与することができる。
【００２２】
本発明の香料組成物は、（ａ１）成分がルバフランを含み、（ａ２）成分がブルゲオナールを含み、（ａ３）成分がヒンジノールを含むことが好ましい。
本発明の香料組成物が、上記（ａ１）成分、（ａ２）成分、及び（ａ３）成分の組み合わせを含むことにより、介護臭のマスキング効果をより向上でき、グリーンフローラルタイプの香りを付与することができる。
【００２３】
＜その他の香料成分＞
本発明の香料成分は、（ａ１）成分、（ａ２）成分、及び（ａ３）成分以外の香料成分（以下、その他の香料成分ともいう）を含有してもよい。
その他の香料成としては、本発明の効果を損なわないものであれば、洗浄剤や柔軟剤等に一般的に使用される成分が使用でき、香料原料のリストは、様々な文献、例えば「Ｐｅｒｆｕｍｅ  ａｎｄ  Ｆｌａｖｏｒ  Ｃｈｅｍｉｃａｌｓ」，Ｖｏｌ．Ｉａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料  化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ  」，Ｓｔｅｆｆｅｎ  Ａｒｃｔａｎｄｅｒ，Ａｌｌｕｒｅｄ  Ｐｕｂ．Ｃｏ．（１９９４）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られる。その他の香料成分として、好ましいものとして、アルデヒドＣ−１２ラウリック、マンダリンアルデヒド、ダイナスコン、フルテート、オキサン、ダマスコンアルファ、ダマスコンデルタ、シクラメンアルデヒド、リリアール、フロラルオゾン、ヤラヤラ、メチルアンソラニレート、シクラセット、オイゲノール、ジハイドロオイゲノール、アニスアルデヒド、シンナミックアルデヒド、バクダノール、カラナール、アンバーマックス、イソブチルキノリン、ガンマーウンデカラクトン、ガンマーデカラクトン、ガンマーノナラクトン、バニリン、リナロール、リグストラール、マンザネート、メチルイオノンガンマー、テトラヒドロリナロール、ベルドックス、テサロン、シトロネリルニトリル、シクロヘキシルサリチレート、ガラクソリド、へディオン、ヘキシルサリチレート、イソ・イー・スーパー、オレンジオイル、フェニルエチルアルコール、ラズベリーケトン、及びスチラリルアセテート等が挙げられ、アルデヒドＣ−１２ラウリック、フルテート、ダマスコンアルファ、リリアール、ヤラヤラ、シクラセット、アニスアルデヒド、バクダノール、ガンマーウンデカラクトン、ガンマーデカラクトン、リナロール、マンザネート、テトラヒドロリナロール、ベルドックス、及びテサロンが特に好ましい。（ａ１）成分、（ａ２）成分、及び（ａ３）成分に加え、これらの香料成分を使用することで、介護臭マスキング効果が高まる。香料組成物中のこれらの好ましい香料成分の含有量の合計は、香料組成物の総質量に対し、５〜３０質量％が好ましく、１０〜２０質量％がより好ましい。
その他の香料成分のうち、トップノートとして、アルデヒドＣ−１２ラウリック、及びダイナスコンを含むことが好ましく、アルデヒドＣ−１２ラウリックを含むことがより好ましい。香料組成物中のアルデヒドＣ−１２ラウリック、及びダイナスコンの含有量の合計は、香料組成物の総質量に対し、０．０１〜１質量％が好ましく、０．１〜０．５質量％がより好ましい。
ミドルノートとして、ダマスコンアルファ、ダマスコンデルタ、リリアール、シクラセット、及びヤラヤラを含むことが好ましく、香料組成物中の含有量の合計は、香料組成物の総質量に対し、１〜１５質量％が好ましく、２〜８質量％がより好ましい。
ラストノートとして、バクダノール、ガラクソリド、及びガンマーウンデカラクトンを含むことが好ましく、香料組成物中の含有量の合計は、香料組成物の総質量に対し、２〜２５質量％が好ましく、５〜１５質量％がより好ましい。
その他の香料成分のうち、せっけんタイプの香りの香料組成物には、アルデヒドＣ−１２ラウリック、ダマスコンアルファ、リリアール、シクラセット、及びバクダノールを使用することが好ましい。これら香料成分を配合することで、香りの調和を崩さず、介護臭マスキング効果を高めることができる。せっけんタイプの香りの香料組成物中における、アルデヒドＣ−１２ラウリック、ダマスコンアルファ、リリアール、シクラセット、及びバクダノールの含有量の合計は、香料組成物の総質量に対し、５〜３０質量％が好ましく、１０〜２０質量％がより好ましい。
その他の香料成分のうち、グリーンフローラルタイプの香りの香料組成物には、ダイナスコン、リリアール、ヤラヤラ、及びガンマーウンデカラクトンを使用することが好ましい。
これらの香料成分を配合することで、香りの調和を崩さず、介護臭マスキング効果を高めることができる。グリーンフローラルタイプの香りの香料組成物における、ダイナスコン、リリアール、ヤラヤラ、及びガンマーウンデカラクトンの含有量の合計は、香料組成物の総質量に対し、５〜３０質量％が好ましく、１０〜２０質量％がより好ましい。
その他の香料成分は、１種類を単独で用いてもよく、２種類以上を組合わせて用いてもよい。
【００２４】
その他の香料成分の含有量は、香料組成物の総質量に対し、０．１〜９０質量％が好ましく、３０〜９０質量％がより好ましく、６０〜８０質量％がさらに好ましい。
その他の香料成分の含有量が上記範囲内であると、香り全体の調和度と介護臭マスキング効果をより向上できる。
【００２５】
本発明の香料組成物には、香料成分以外の成分（以下、その他の成分ともいう）を含んでいていてもよい。その他の成分としては、例えば、溶剤（香料用溶剤）や酸化防止剤が挙げられる。
【００２６】
香料用溶剤としては、たとえば、エタノール、アセチン（トリアセチン）、ＭＭＢアセテート（３−メトキシ−３−メチルブチルアセテート）、スクロースジアセテートヘキサイソブチレート、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、１，３−ブチレングリコール、ジブチルヒドロキシトルエン、及びハーコリン等が挙げられる。
香料用溶剤は、１種類を単独で用いてもよく、２種類以上を組合わせて用いてもよい。
香料用溶剤は、香料組成物の総質量に対して、０〜３０質量％が好ましく、１〜２０質量％がより好ましい。
【００２７】
酸化防止剤としては、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、ローズマリー抽出物等が挙げられる。
酸化防止剤は、１種類を単独で用いてもよく、２種類以上を組合わせて用いてもよい。
酸化防止剤は、香料組成物の総質量に対して、０〜２０質量％が好ましく、１〜１０質量％がより好ましい。
本発明の香料組成物の（ａ１）成分、（ａ２）成分、及び（ａ３）成分の含有量の合計は、１００質量％を超えない。
【００２８】
＜製造方法＞
本発明の香料組成物の製造方法は特に限定されず、常法により製造できる。例えば、各成分を香料用溶剤に加え、撹拌することで製造することができる。
【００２９】
＜使用方法＞
本発明の香料組成物は、消臭剤、洗浄剤、柔軟剤等の繊維製品処理剤等の香料として使用することができる。繊維製品用液体洗浄剤組成物、繊維製品用の消臭剤の香料組成物として好適で、特に繊維製品用液体洗浄剤組成物の香料組成物として好適に使用できる。
消臭剤の香料として使用する場合、香料組成物の含有量は、消臭剤の総質量に対し、０．０１〜１質量％が好ましく、０．０５〜０．３質量％がより好ましい。
洗浄剤、柔軟剤等の繊維製品処理剤の香料として使用する場合、香料組成物の含有量は、繊維製品処理剤の総質量に対し、０．１〜２質量％が好ましく、０．３〜１質量％がより好ましい。
【００３０】
≪繊維製品処理剤≫
本発明の繊維製品処理剤は、本発明の香料組成物（以下、（Ａ）成分ともいう）を含む。
繊維製品処理剤としては、繊維製品用液体洗浄剤組成物、繊維製品用柔軟剤、繊維製品用消臭剤、繊維製品用漂白剤等が挙げられる。
（Ａ）成分の含有量は、繊維製品処理剤の総質量に対し、０．００１〜２質量％が好ましい。
（Ａ）成分の含有量は、繊維製品用液体洗浄剤組成物の総質量に対し、０．１〜１質量％が好ましく、０．２〜０．５質量％がより好ましい。
（Ａ）成分の含有量は、繊維製品用柔軟剤の総質量に対し、０．２〜２質量％が好ましく、０．５〜１質量％がより好ましい。
（Ａ）成分の含有量は、繊維製品用消臭剤の総質量に対し、０．００１〜１質量％が好ましく、０．００５〜０．１質量％がより好ましい。
（Ａ）成分の含有量は、繊維製品用漂白剤の総質量に対し、０．０１〜１質量％が好ましく、０．０５〜０．３質量％がより好ましい。
（Ａ）成分の含有量が上記範囲内であると、製品状態での基剤臭マスキングと製品使用後に好ましい介護臭マスキング効果を得ることができる。
【００３１】
なお、繊維製品処理剤中、（Ａ）成分は、高分子化合物で形成されたカプセル壁によって内包されたカプセル香料として配合されてもよい。
カプセル香料は、公知の方法により製造でき、例えば、界面重合法、ｉｎ−ｓｉｔｕ重合法等が挙げられる。
カプセル壁を形成する高分子化合物としては、例えば、ポリアクリル酸系、ポリビニル系、ポリメタクリル酸系、メラミン系、及びウレタン系等の合成高分子が挙げられる。これらは、１種を単独で用いてもよく、２種以上を組合わせて用いてもよい。
【００３２】
＜繊維製品用液体洗浄剤組成物＞
本発明の繊維製品処理剤が繊維製品用液体洗浄剤組成物の場合、（Ａ）成分に加えて、以下の（Ｂ）成分、（Ｃ）成分、及び（Ｄ）成分からなる群から選択される少なくとも１種を含有することが好ましい。
【００３３】
［（Ｂ）成分］
（Ｂ）成分は界面活性剤である、（Ｂ）成分としては、ノニオン界面活性剤（以下、（Ｂ１）成分ともいう）、アニオン界面活性剤（以下、（Ｂ２）成分ともいう）、その他、カチオン界面活性剤、両性界面活性剤及び半極性界面活性剤が挙げられる。洗浄性能の点から、ノニオン界面活性剤（Ｂ１）、及びアニオン界面活性剤（Ｂ２）が好ましい。
【００３４】
［（Ｂ１）成分］
（Ｂ１）成分はノニオン界面活性剤である。具体的には、下記式（ｂ−１）で表されるポリ（オキシアルキレン）アルキルエーテルが挙げられる。
Ｒ１２−Ｘ−［（ＥＯ）ｓ／（ＰＯ）ｔ］−Ｒ１３  ・・・（ｂ−１）
式（ｂ−１）中、Ｒ１２は炭素数８〜１８の炭化水素基であり、Ｘは−Ｏ−又はＣ（Ｏ）Ｏ−であり、Ｒ１３は水素原子、炭素数１〜６のアルキル基、又は炭素数２〜６のアルケニル基である。ｓはＥＯの平均繰返し数を表し、３〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。
【００３５】
式（ｂ−１）中、Ｒ１２である炭化水素基の炭素数は８〜１８であり、特に良好な洗浄力が得られやすい点で１０〜１８が好ましい。Ｒ１３は直鎖状であっても分岐鎖状であってもよい。Ｒ１２は脂肪族炭化水素基が好ましく、直鎖もしくは分岐鎖のアルキル基、又は直鎖もしくは分岐鎖のアルケニル基がより好ましい。
Ｒ１２としての炭化水素基は、１級又は２級の高級アルコール、高級脂肪酸、高級脂肪酸アミド等の原料に由来するものが挙げられる。具体的には、１級又は２級の高級アルコールからＯＨ基を除いた残基、高級脂肪酸からＣ（Ｏ）ＯＨ基を除いた残基、高級脂肪酸アミドからＣ（Ｏ）ＮＨ基を除いた残基等である。
Ｒ１３としてのアルキル基の炭素数は１〜６であり、１〜３が好ましい。Ｒ１３としてのアルケニル基の炭素数は２〜６であり、２〜３が好ましい。
Ｘは−Ｏ−又はＣ（Ｏ）Ｏ−である。Ｘが−Ｏ−のとき、（Ｂ１）成分はアルコールアルコキシレートである。この場合において、洗浄力が良好であることから、Ｒ１２の炭素数は１０〜１８であることが好ましく、Ｒ１２は不飽和結合を有していてもよい。また、この場合において、Ｒ１３は水素原子であることが好ましい。
Ｘが−Ｃ（Ｏ）Ｏ−であるとき、（Ｂ１）成分は脂肪酸エステル型非イオン界面活性剤である。この場合において、洗浄力が良好であることから、Ｒ１２の炭素数は９〜１８であることが好ましく、より好ましくは１１〜１８である。Ｒ１２は不飽和結合を有していてもよい。また、この場合において、Ｒ１３は、炭素数１〜３のアルキル基であることが好ましい。
【００３６】
式中のｓはＥＯ（オキシエチレン基）の平均繰り返し数であり、ｔはＰＯ（オキシプロピレン基）の平均繰り返し数である。ｓ及びｔは、それぞれ加重平均値を意味する。ｓ及びｔは、例えばガスクロマトグラフ質量分析計を用いて測定することができる。
ｓは３〜２０である、好ましくは５〜１８の数であり、より好ましくは１４〜１８の数である。上記下限値以上であると、尿臭除去効果を向上しやすい。上記上限値以下であると、尿臭除去効果を向上しやすい。
ｔは０〜６であり、好ましくは０〜３の数である。ｔが６を超えると、高温下での保存安定性が低下する傾向にある。
ＥＯとＰＯとは混在して配列してもよく、（ＥＯ）ｓ／（ＰＯ）ｔは、ＥＯとＰＯとがランダム状に付加していてもよく、ブロック状に付加していてもよい。
【００３７】
また、例えば下式（ｂ−２）で表されるように、ＥＯのブロック鎖−ＰＯのブロック鎖−ＥＯのブロック鎖の順に付加したものでもよく、ＥＯとＰＯのランダム鎖−ＥＯのブロック鎖の順に付加したものでもよい。
Ｒ１４−Ｏ−［（ＥＯ）ｐ／（ＰＯ）ｑ］−（ＥＯ）ｒ−Ｈ  ・・・（ｂ−２）
式（ｂ−２）中、Ｒ１４は炭素数８〜１８の炭化水素基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１、０＜ｑ≦３、ｐ＋ｒ＝１０〜２０を満たす数である。ＥＯはオキシエチレン基、ＰＯはオキシプロピレン基を表し、（ＥＯ）ｐ／（ＰＯ）ｑにおけるＥＯとＰＯはランダム状に配列していてもよく、ブロック状に配列していてもよい。
Ｒ１４は式（ｂ−１）のＲ１２と好ましい態様も含めて同様である。
式（ｂ−２）で表される成分は、公知の方法で製造することができる。例えば炭化水素基を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加することで製造できる。
式（ｂ−２）で表される（Ｂ１）成分を用いると、適度な粘度が得られやすくなり、ゲル化も抑制される。また、泡立ち性が向上し、生分解性もより良好になる。
特に式（ｂ−２）におけるＥＯとＰＯとの比率は、ｑ／（ｐ＋ｒ）で表される比で０．１〜０．５であることが好ましく、より好ましくは０．１〜０．３である。ｑ／（ｐ＋ｒ）で表される比が下限値以上であると、泡が立ちすぎず、泡立ちの適正化が図られやすい。上限値以下であると、適度な粘度が得られやすくなり、ゲル化が抑制されやすい。
【００３８】
式（ｂ−１）で表される（Ｂ１）成分において、ＥＯ又はＰＯの平均繰返し数の分布は、（Ｂ１）成分を製造する際の反応方法によって変動しやすく、特に限定されない。たとえば、一般的な水酸化ナトリウム、水酸化カリウム等のアルカリ触媒を用いて、エチレンオキシド又はプロピレンオキシドを、炭化水素基を有する開始化合物（１級又は２級の高級アルコール、高級脂肪酸、高級脂肪酸アミド等）に付加させた場合には、比較的広い分布となる傾向にある。一方、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該炭化水素基を有する開始化合物に付加させた際には、比較的狭い分布となる傾向にある。
【００３９】
（Ｂ１）成分の具体例としては、三菱化学社製の商品名Ｄｉａｄｏｌ（Ｃ１３、Ｃは炭素数を示す。以下同様。）、Ｓｈｅｌｌ社製の商品名Ｎｅｏｄｏｌ（Ｃ１２とＣ１３との混合物）、Ｓａｓｏｌ社製の商品名Ｓａｆｏｌ２３（Ｃ１２とＣ１３との混合物）等のアルコールに対して、１２モル相当、又は１５モル相当のエチレンオキシドを付加したもの；
Ｐ＆Ｇ社製の商品名ＣＯ−１２１４又はＣＯ−１２７０等の天然アルコールに対して、１２モル相当、又は１５モル相当のエチレンオキシドを付加したもの；
ブテンを３量化して得られるＣ１２アルケンをオキソ法に供して得られるＣ１３アルコールに対して、７モル相当のエチレンオキシドを付加したもの（ＢＡＳＦ社製の商品名Ｌｕｔｅｎｓｏｌ  ＴＯ７）；
ペンタノールをガーベット反応に供して得られるＣ１０アルコールに対して、９モル相当のエチレンオキシドを付加したもの（ＢＡＳＦ社製の商品名Ｌｕｔｅｎｓｏｌ  ＸＰ９０）；
ペンタノールをガーベット反応に供して得られるＣ１０アルコールに対して、７モル相当のエチレンオキシドを付加したもの（ＢＡＳＦ社製の商品名Ｌｕｔｅｎｓｏｌ  ＸＬ７０）；
ペンタノールをガーベット反応に供して得られるＣ１０アルコールに対して、６モル相当のエチレンオキシドを付加したもの（ＢＡＳＦ社製の商品名Ｌｕｔｅｎｓｏｌ  ＸＡ６０）；及び
炭素数１２〜１４の第２級アルコールに対して、９モル相当、又は１５モル相当のエチレンオキシドを付加したもの（日本触媒社製の商品名ソフタノール９０、ソフタノール１５０）等が挙げられる。
さらには、ヤシ脂肪酸メチル（ラウリン酸／ミリスチン酸＝８／２）に対して、アルコキシル化触媒を用いて、１５モル相当の酸化エチレンを付加したもの（ポリオキシエチレンヤシ脂肪酸メチルエステル（ＥＯ１５モル）も挙げられる。
【００４０】
（Ｂ１）成分として、特に洗浄性の点で、式（ｂ−１）中、Ｘが−Ｏ−である、ポリオキシエチレンアルキルエーテル（ＡＥ）、ポリオキシエチレンポリオキシプロピレンアルキルエーテル（ＥＯＰＯ型ノニオン）等のポリオキシアルキレン型ノニオン界面活性剤；もしくは、式（ｂ−１）中、Ｘが−Ｃ（Ｏ）Ｏ−である、脂肪酸エステル型非イオン界面活性剤が好ましい。より好ましくは脂肪酸エステル型非イオン界面活性剤である。
（Ｂ１）成分は１種類を単独で用いてもよく、２種類以上を組合わせて用いてもよい。
【００４１】
（Ｂ１）成分の含有量は、繊維製品用液体洗浄剤組成物の総質量に対し、８質量％以上が好ましく、１５質量％以上がより好ましい。
（Ｂ１）成分の含有量は、繊維製品用液体洗浄剤組成物の総質量に対し、５０質量％以下が好ましく、４０質量％以下がより好ましく、３０質量％以下がさらに好ましい。
具体的には、（Ｂ１）成分の含有量は、繊維製品用液体洗浄剤組成物の総質量に対し、８〜５０質量％が好ましく、１５〜４０質量％がより好ましく、１５〜３０質量％がさらに好ましい。
上記下限値以上であると、充分な尿臭除去効果を付与しやすい。
上記上限値以下であると、安定性を向上しやすい。
【００４２】
［（Ｂ２）成分］
（Ｂ２）成分はアニオン界面活性剤である。
（Ｂ２）成分としては、特に限定されず、繊維製品用等の洗浄剤に通常用いられているアニオン界面活性剤が挙げられる。
（Ｂ２）成分としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルカンスルホン酸塩；α−スルホ脂肪酸エステル塩；脂肪酸又はその塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；及びアルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩；マグネシウム等のアルカリ土類金属塩；及びモノエタノールアミン塩、ジエタノールアミン塩などのアルカノールアミン塩等が挙げられる。
【００４３】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのエチレンオキシドを付加したポリオキシエチレンアルキルエーテル硫酸エステル塩又はポリオキシエチレンアルケニルエーテル硫酸エステル塩が好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、炭素数１０〜２０のα−スルホ脂肪酸エステル塩が好ましい。
脂肪酸又はその塩としては、炭素数１０〜２０の脂肪酸又はその塩が好ましい。
これらの中でも、尿臭移り防止効果や安定性が高められやすい点から、（Ｂ）成分として、直鎖アルキルベンゼンスルホン酸又はその塩を用いることが好ましい。
（Ｂ）成分は１種類を単独で用いてもよく、２種類以上を組合わせて用いてもよい。
【００４４】
（Ｂ）成分の含有量は、繊維製品用液体洗浄剤組成物の総質量に対し、２．５質量％以上が好ましく、２．５〜２０質量％がより好ましく、３〜１５質量％がさらに好ましく、４〜１０質量％が特に好ましい。
上記下限値以上であると、充分な尿臭移り防止効果を付与しやすい。
上記上限値以下であると、安定性を向上しやすい。
【００４５】
［（Ｃ）成分］
（Ｃ）成分は有機カルボン酸である（ただし（Ｄ）成分に該当するものを除く）。有機カルボン酸としては、カルボキシ基とヒドロキシ基を有するヒドロキシカルボン酸（クエン酸、酒石酸、リンゴ酸、及び乳酸等）、シュウ酸、及びマロン酸が挙げられる。
（Ｃ）成分は１種類を単独で用いてもよく、２種類以上を組合せて用いてもよい。
（Ｃ）成分がヒドロキシカルボン酸を含むことが好ましい。ヒドロキシカルボン酸の中でも、性能や供給性の観点から、クエン酸、酒石酸、リンゴ酸、及び乳酸が好ましく、クエン酸、及び酒石酸がさらに好ましく、クエン酸が特に好ましい。
【００４６】
（Ｃ）成分の含有量は、繊維製品用液体洗浄剤組成物の総質量に対し、５質量％以上が好ましく、５〜２０質量％がより好ましく、７〜１２質量％がさらに好ましい。
上記下限値以上であると、尿臭除去効果を向上しやすい。
上記上限値以下であると、安定性を向上しやすい。
【００４７】
（Ａ）成分／（Ｃ）成分で表される質量比（以下、Ａ／Ｃ比ともいう）は、０．００２〜１が好ましく、０．０２〜０．２がより好ましい。
上記下限値以上であると、尿臭除去効果を向上しやすい。
上記上限値以下であると、尿臭除去効果を向上しやすく、組成物の安定性を向上しやすい。
【００４８】
［（Ｄ）成分］
（Ｄ）成分は、酸化防止剤である。（Ｄ）成分としては、ＢＨＴ（ジブチルヒドロキシトルエン）、ＢＨＡ（ブチルヒドロキシアニソール）、ビタミンＥ（トコフェロール）、エリソルビン酸ナトリウム、メトキシフェノール、二酸化硫黄、コーヒー豆抽出物（クロロゲン酸）、緑茶抽出物（カテキン）、及びローズマリー抽出物等が挙げられる。
（Ｄ）成分は１種類を単独で用いてもよく、２種類以上を組合わせて用いてもよい。
【００４９】
（Ｄ）成分の含有量は、繊維製品用液体洗浄剤組成物の総質量に対し、０．０００１〜０．２質量％が好ましく、０．００１〜０．０５質量％がより好ましい。
【００５０】
（Ａ）成分／（Ｄ）成分で表される質量比（以下、Ａ／Ｄ比ともいう）は、０．１〜２００が好ましく、１〜１００がより好ましく、１０〜１００がさらに好ましい。
上記下限値以上であると、洗浄剤組成物の安定性、及び洗浄剤組成物中での（Ａ）の安定性が向上し、（Ａ）の尿臭除去効果を向上しやすい。
上記上限値以下であると、尿臭除去効果を向上しやすく、組成物の安定性を向上しやすい。（Ｄ）成分は、洗浄剤組成物に直接配合してもよいし、（Ａ）成分と（Ｄ）成分を予め混合し、それを洗浄剤組成物に配合してもよい。
【００５１】
（Ｃ）成分／（Ｄ）成分で表される質量比（以下、Ｃ／Ｄ比ともいう）は、２５以上が好ましく、５０〜２０００００がより好ましく、１５０〜１００００がさらに好ましい。
上記下限値以上であると、尿臭除去効果を向上しやすい。
【００５２】
［その他の任意成分］
本発明の繊維製品用液体洗浄剤組成物は、上記の成分及び水以外に、液体洗浄剤に用いられている公知の成分を適宜含有させることができる。
例えば、酵素、ｐＨ調整剤、水混和性有機溶媒、金属イオン捕捉剤、殺菌剤、抗菌剤、防腐剤、風合い向上剤、移染防止剤、再汚染防止剤、パール剤、ソイルリリース剤、ハイドロトロープ剤、着色剤、乳濁剤、蛍光剤、及びエキス等の任意成分が挙げられる。
その他の任意成分の合計の含有量は特に限定されないが、例えば、繊維製品用液体洗浄剤組成物の総質量に対し、１０質量％以下が好ましく、７質量％以下がより好ましく、５質量％以下がさらに好ましい。具体的には、その他の任意成分の合計の含有量は、繊維製品用液体洗浄剤組成物の総質量に対し、０質量％超１０質量％以下が好ましく、０質量％超７質量％以下が好ましく、０質量％超５質量％以下がさらに好ましい。
【００５３】
ｐＨ調整剤としては、塩酸、硫酸、リン酸等の無機酸、水酸化ナトリウム、水酸化カリウム、アルカノールアミン、及びアンモニア等が挙げられる。これらのなかでも、液体洗浄剤の経時安定性の面から、硫酸、水酸化ナトリウム、水酸化カリウム、及びアルカノールアミンが好ましく、硫酸、及び水酸化ナトリウムが好ましい。ｐＨ調整剤は、１種を単独で用いてもよく、２種以上を併用してもよい。
殺菌剤、抗菌剤としては、四級アンモニウム塩（塩化ベンザルコニウム、ジデシルジメチルアンモニウムクロライド）、ダイクロサン、トリクロサン、ビス−（２−ピリジルチオ−１−オキシド）亜鉛、ポリヘキサメチレンビグアニジン塩酸塩、８−オキシキノリン、ポリリジン、塩酸クロロヘキシジン、１，３，５−トリアジン−１，３，５−トリエタノール、１，３，５−トリメチルヘキサヒドロ−１，３，５−トリアジン等が挙げられる。
【００５４】
「水混和性有機溶媒」とは、２５℃のイオン交換水１Ｌに５０ｇ以上溶解する有機溶媒であり、液体洗浄剤において公知のものを使用できる。
例えば、エタノール、１−プロパノール、２−プロパノール、１−ブタノール等の炭素数２〜４の一価アルコール；エチレングリコール、プロピレングリコール、ブチレングリコール、トリエチレングリコール、テトラエチレングリコール、平均分子量約２００〜５０００のポリエチレングリコール、メトキシポリエチレングリコール、グリセリン等の炭素数２〜４の多価アルコール；及び
エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル、ダイセル社製セルトールＥＤＧＡＣ（ジエチレングリコールモノエチルエーテルアセテート）等のグリコールエーテル系溶剤、３−メトキシブタノ−ル、３−メトキシ−３−メチルブタノ−ル、１，３−ジオキソラン、２−メチル−１，３−ジオキソラン、２，２−ジメチル−１，３−ジオキソラン、２，２−ジメチル−１，３−ジオキソラン−４−メタノール、２−イソブチル−２−メチル−１，３−ジオキソラン−４−メタノール、２，２−ジメチル−１，３−ジオキソラン−４−エタノール等が挙げられる。
【００５５】
本発明の繊維製品用液体洗浄剤組成物は、２５℃におけるｐＨが７未満であり、２〜６が好ましく、３〜５がより好ましい。ｐＨがこのような範囲にあると、尿臭除去効果を向上しやすくなる。
繊維製品用液体洗浄剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー株式会社製）により測定される値を意味する。
本発明の繊維製品用液体洗浄剤組成物の各成分の含有量の合計は、１００質量％を超えない。
【００５６】
［製造方法］
本発明の繊維製品用液体洗浄剤組成物は、従来公知の液体洗浄剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、繊維製品用液体洗浄剤組成物とする。
【００５７】
［使用方法］
本発明の繊維製品用液体洗浄剤組成物の使用方法としては、例えば、繊維製品用液体洗浄剤組成物を単独で、又は公知の漂白剤や柔軟剤と共に水に入れて洗浄液とし、この洗浄液に被洗物を入れ洗濯機で洗浄する方法、洗浄液に被洗物を一定時間漬け置きした後、その後、洗濯機で洗浄する方法等が挙げられる。
本発明の繊維製品用液体洗浄剤組成物は、高齢者や要介護者の衣料（以下、介護用品ともいう）を洗浄するために好ましく用いられる。また発明の繊維製品用液体洗浄剤組成物は、高齢者や要介護者の衣料の洗浄に限定されるものでなく、尿汚れのある衣類、例えば軽失禁による尿汚れ衣類、乳幼児の尿汚れ衣類、又はペットの尿汚れ衣類やマット等にも好適に用いることができる。
【００５８】
＜繊維製品用柔軟剤＞
本発明の繊維製品処理剤が繊維製品用柔軟剤の場合、例えば特開２０１６−１１３７０５号公報記載の従来公知の柔軟剤組成物の香料として（Ａ）成分を配合することができる。
【００５９】
［製造方法］
本発明の繊維製品用柔軟剤は、従来公知の柔軟剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、繊維製品用柔軟剤とする。
【００６０】
［使用方法］
本発明の繊維製品用柔軟剤の使用方法としては、例えば、柔軟剤の希釈液に、洗浄後の被洗物を一定時間漬け置きした後、その後、脱水する方法等が挙げられる。
本発明の繊維製品用柔軟剤は、高齢者や要介護者の衣料（以下、介護用品ともいう）の洗浄後の柔軟剤として好ましく用いられる。また発明の繊維製品用柔軟剤は、高齢者や要介護者の繊維製品用に限定されるものでなく、尿汚れのある衣類、例えば軽失禁による尿汚れ衣類、乳幼児の尿汚れ衣類、又はペットの尿汚れ衣類やマット等にも好適に用いることができる。
【００６１】
＜繊維製品用消臭剤＞
本発明の繊維製品処理剤が繊維製品用消臭剤の場合、例えば国際公開第２０１２／９０９８９号記載の従来公知の消臭剤組成物の香料として（Ａ）成分を加えることができる。
【００６２】
［製造方法］
本発明の繊維製品用消臭剤は、従来公知の消臭剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、繊維製品用消臭剤とする。
【００６３】
［使用方法］
本発明の繊維製品用消臭剤の使用方法としては、例えば、介護臭が付着した繊維製品（例えば衣類、タオル、シーツ等）にスプレーする方法が挙げられる。
本発明の繊維製品用消臭剤は、高齢者や要介護者の衣料等（以下、介護用品ともいう）の消臭剤として好ましく用いられる。また発明の繊維製品用消臭剤は、高齢者や要介護者の繊維製品用に限定されるものでなく、尿汚れのある衣類、例えば軽失禁による尿汚れ衣類、乳幼児の尿汚れ衣類、又はペットの尿汚れ衣類やマット等にも好適に用いることができる。
【００６４】
＜繊維製品用漂白剤＞
本発明の繊維製品処理剤が繊維製品用漂白剤の場合、例えば特開２０１７−１７９０５９号公報記載の従来公知の漂白剤組成物の香料として（Ａ）成分を加えることができる。
【００６５】
［製造方法］
本発明の繊維製品用漂白剤は、従来公知の漂白剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、繊維製品用漂白剤とする。
【００６６】
［使用方法］
本発明の繊維製品用漂白剤の使用方法としては、例えば、繊維製品用漂白剤の希釈液に、被洗物を一定時間漬け置きした後、その後、脱水する方法等が挙げられる。
本発明の繊維製品用漂白剤は、高齢者や要介護者の衣料（以下、介護用品ともいう）の漂白剤として好ましく用いられる。また発明の繊維製品用漂白剤は、高齢者や要介護者の繊維製品用に限定されるものでなく、尿汚れのある衣類、例えば軽失禁による尿汚れ衣類、乳幼児の尿汚れ衣類、又はペットの尿汚れ衣類やマット等にも好適に用いることができる。
【実施例】
【００６７】
以下に実施例を用いて本発明をさらに詳しく説明するが、本発明はこれら実施例に限定されるものではない。
表１及び２に示す組成に従い各成分を混合して各香料組成物を得た。
表中の配合量の単位は「質量％」であり、いずれの成分も純分換算量を示す。
表中の空欄はその成分が配合されていないことを示す。
表中、ＤＰＧはジプロピレングリコールを表す。【００６８】
＜液体洗剤１の組成＞
・香料：表１及び２に記載の香料組成物：０．４質量％。
・ポリオキシエチレンアルキル（炭素数１２〜１４）エーテル（ＥＯの平均付加モル数１５）、商品名「ＬＭＡＯ−９０」、ライオン・スペシャリティ・ケミカルズ株式会社製：２５質量％。
・ＬＡＳ、炭素数１０〜１４のアルキル基を有する直鎖状又は分岐鎖状のアルキルベンゼンスルホン酸、商品名「ライポン（登録商標）ＬＨ−２００」、ライオン株式会社製。
・クエン酸、関東化学株式会社製、試薬「くえん酸」：１０質量％。
・ＰＥＧ：ポリエチレングリコール（水混和性有機溶媒）、ライオン・スペシャリティ・ケミカルズ社製、商品名「ＰＥＧ１０００」：５質量％。
・安息香酸Ｎａ：安息香酸ナトリウム（防腐剤）、東亜合成株式会社製。：０．５質量％。
・ＢＨＴ：ジブチルヒドロキシトルエン（酸化防止剤）、商品名「ＳＵＭＩＬＺＥＲ  ＢＨＴ−Ｒ」、住友化学株式会社製：０．００３質量％。
・ｐＨ調整剤（ＮａＯＨ）：鶴見曹達（株）製、商品名：水酸化ナトリウム、適量でｐＨ３．２に調整。
・ｐＨ調整剤（硫酸）：和光純薬工業（株）製、商品名：硫酸、適量でｐＨ３．２に調整。
・水：バランス（全体が１００質量％なるように調整）。【００６９】
＜液体洗剤の組成２＞
・香料：表１及び２に記載の香料組成物：０．４質量％。
・ＭＥＥ、脂肪酸メチルエステルエトキシレート（脂肪酸の炭素数１２〜１４、ＥＯの平均付加モル数１５）、ナロー率３０％。：３０質量％。
・ポリオキシエチレンアルキル（炭素数１２〜１４）エーテル（ＥＯの平均付加モル数１５）、商品名「ＬＭＡＯ−９０」、ライオン・スペシャリティ・ケミカルズ株式会社製：２５質量％。：５質量％。
・ＡＥＳ、ポリオキシエチレンアルキルエーテル硫酸塩（天然アルコール（Ｐ＆Ｇ社製の商品名「ＣＯ−１２７０」）に１モル相当のＥＯを付加した化合物）（ライオン（株）製）。：１０質量％。
・ＬＡＳ、炭素数１０〜１４のアルキル基を有する直鎖状又は分岐鎖状のアルキルベンゼンスルホン酸、商品名「ライポン（登録商標）ＬＨ−２００」、ライオン株式会社製。：５質量％。
・エタノール、日本アルコール販売（株）製、商品名「特定アルコール９５度合成」。：２質量％。
・３−メトキシ−３−メチルブタノール（（株）クラレ製、商品名「ソルフィット（ファイングレード）」。：４質量％。
・モノエタノールアミン：（株）日本触媒製、商品名「モノエタノールアミン」。：０．５質量％。
・安息香酸ナトリウム：東亞合成（株）製、商品名「安息香酸ナトリウム」。：０．３質量％。
・乳酸ナトリウム：関東化学（株）製、商品名「乳酸ナトリウム」。：０．５質量％。
・ＭＧＤＡ：メチルグリシン２酢酸３ナトリウム、ＢＡＳＦ社製、商品名「Ｔｒｉｌｏｎ  Ｍ  Ｌｉｑｕｉｄ」。：０．５質量％。
・塩化カルシウム：関東化学（株）製、商品名「塩化カルシウム」。：０．０１質量％。
・パラトルエンスルホン酸：協和発酵キリン（株）製、商品名「ＰＴＳ酸」。：０．２質量％。
・ＰＰＧ４０００：３価アルコールのプロピレンオキシド付加物（ポリオキシプロピレングリセリルエーテル、質量平均分子量４０００、三井化学（株）製、商品名「アクトコールＴ−４０００」。：１質量％。
・ソイルリリースポリマー：クラリアントジャパン社製、商品名「ＴｅｘＣａｒｅ  ＳＲＮ−１７０Ｃ」、質量平均分子量＝２０００〜３０００、ｐＨ（２０℃の５質量％水溶液）＝４、粘度（２０℃）＝３００ｍＰａ・ｓ）。ＴｅｘＣａｒｅ  ＳＲＮ−１７０Ｃは、商品名：ＴｅｘＣａｒｅ  ＳＲＮ−１００（クラリアントジャパン社製、質量平均分子量：２０００〜３０００）の７０質量％水溶液である。：０．５質量％。
・ＨＰ−２０：ポリエチレンイミンのエチレンオキシド付加体、ＢＡＳＦ社製、商品名「Ｓｏｋａｌａｎ  ＨＰ２０」。：１質量％。
・ダイクロサン：４，４’−ジクロロ−２−ヒドロキシジフェニルエーテル（ＢＡＳＦ社製、商品名「Ｔｉｎｏｓａｎ  ＨＰ１００」）。：０．２質量％。
・プロテアーゼ：ノボザイムズ社製、プロテアーゼ製剤、商品名「Ａｌｃａｌａｓｅ２．５Ｌ」。：０．３質量％。
・色素：癸巳化成（株）製、商品名「緑色３号」。：０．０００５質量％。
・ｐＨ調整剤：水酸化ナトリウム、鶴見曹達（株）（現東亞合成（株））製、商品名「水酸化ナトリウム」。：適量でｐＨ７に調整。
・水：バランス（全体が１００質量％なるように調整）。【００７０】
＜漂白剤の組成＞
・香料：表１及び２に記載の香料組成物：０．１質量％。
・過酸化水素（３５質量％工業用過酸化水素、三菱ガス化学株式会社製）。：３質量％。
・ポリオキシエチレンアルキルエーテル、炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。：１質量％。
・ラウリン酸アミドプロピルジメチルアミンオキシド、クラリアント社製、商品名「ＧＥＮＡＭＩＮＯＸ  ＡＰ」：２質量％。
・ポリオキシアルキレンアルキルエーテル硫酸ナトリウム塩（花王株式会社製「エマール  ２７０Ｊ」）：２質量％。
・フェニルジグリコール：ジエチレングリコールモノフェニルエーテル、日本乳化剤株式会社製、商品名「ＰｈＤＧ（９０）」。：０．８質量％。
・クエン酸（緩衝剤、関東化学株式会社製、試薬「クエン酸」）。：０．２質量％。
・ｐ−メトキシフェノール（ラジカルトラップ剤、川口化学工業社製、商品名「ＭＱ−Ｆ」）：０．１質量％。
・１−ヒドロキシエタン−１，１−ジホスホン酸、ローディア社製、商品名「ＢＲＩＱＵＥＳＴ  ＡＤＰＡ」）：０．７５質量％。
・ｐＨ調整剤：硫酸（東邦亜鉛株式会社製）、水酸化ナトリウム（鶴見曹達株式会社製）。：適量でｐＨ６に調整。
・水：バランス（全体が１００質量％なるように調整）。【００７１】
＜柔軟剤の組成＞
・香料：表１及び２に記載の香料組成物：０．８質量％。
・カチオン界面活性剤（特開２００３−１２４７１号公報の実施例４に記載の化合物）：１２質量％。
・高度分岐環状デキストリン（グリコ栄養食品株式会社製  商品名：クラスターデキストリン、重量平均分子量：４０万）：１．０質量％。
・塩化カルシウム（（株）トクヤマ製  商品名：粒状塩化カルシウム）：０．０２質量％。
・カプセル香料（ジボダン社製  商品名：ＧＲＥＥＮ  ＢＲＥＥＺＥ  ＣＡＰＳ）：０．２０質量％。
・ノニオン界面活性剤（１級イソトリデシルアルコールのエチレンオキシド６０モル付加物、ＢＡＳＦ社製ルテンゾールＴＯ３にエチレンオキサイドを付加させたもの）：２．０質量％。
・Ｃ．  Ｉ．  Ｄｉｒｅｃｔ  Ｂｌｕｅ  ８６（住友化学工業製  商品名：Ｓｕｍｉｌｉｇｈｔ  Ｓｕｐｒａ  Ｔｕｒｑｕｏｉｓｅ  Ｂｌｕｅ  Ｇ  ｃｏｎｃ．）：０．００１質量％。
・エタノール（日本合成アルコール製  商品名：９５％合成未変性エタノール）：２．０質量％。
・イソチアゾロン液（Ｒｏｈｍ＆Ｈａｓｓ製  商品名：ケーソンＣＧ／ＩＣＰ）：０．００５質量％。
・水：バランス（全体が１００質量％なるように調整）。【００７２】
＜消臭剤の組成＞
・香料：表１及び２に記載の香料組成物：０．０１質量％。
・塩化ジデシルジメチルアンモニウム（リポカード２１０−８０Ｅ、ライオン・スペシャリティ・ケミカルズ（株）製）：０．２質量％。
・ポリエーテル変性シリコーン（商品名：ＳＨ３７７５Ｍ。東レ・ダウコーニング株式会社製。）：０．２質量％。
・硫酸亜鉛（ＩＩ）（関東化学株式会社製）：０．３質量％。
・メチルグリシンジ酢酸３ナトリウム「ＭＧＤＡ」（ＢＡＳＦ社製）：０．３質量％。
・合成エタノール９５％（日本アルコール販売）：１０質量％。
・ｐＨ調整剤（硫酸）：和光純薬工業（株）製、商品名：硫酸、適量でｐＨ４．５に調整。
・水：バランス（全体が１００質量％なるように調整）。【００７３】
＜モデル介護臭のマスキング効果の評価＞
ｐ−クレゾール１２０ｍＬ、オクタノール２０ｍＬ、トリメチルアミン８０ｍＬ、ジメチルジスルフィド８０ｍＬ、ノナナール４００ｍＬ、２−ノネナール４５ｍＬ、イソ吉草酸１５ｍＬ、ヘキサン酸９５ｍＬ、及びノナン酸３５００ｍＬを混合して、モデル介護臭液を調整した。
モデル介護臭液を５ｃｍ×５ｃｍの綿肌シャツに５０μＬ滴下し、３０分乾燥したものを「モデル介護臭試験片」とした。
１０ｃｍ×１０ｃｍ綿肌シャツを、実施例で示す香料を配合した液体洗剤１を１６７０ｐｐｍ（５０ｇ／３０Ｌ）に水で希釈したものに浸漬し、１０分浸漬後絞ったものを「マスキング香料試験片」とした。
「モデル介護臭試験片」と「マスキング香料試験片」とを３Ｌのにおい袋に入れ、袋内を窒素で満たし密閉し、１時間室温にて放置した。
袋内のニオイをかぎ、下記評価基準にて評価した。
［評価基準］
◎：非常によくマスキングしている。
○：よくマスキングしている。
△〜○：マスキングしている。
△：ややマスキングしている
△〜×：僅かにマスキングしている。
×：マスキングしていない。【００７４】
＜調合香料の香りの調和度の評価＞
上記＜モデル介護臭のマスキング効果の評価＞で得られた袋内のニオイをかぎ、下記評価基準にて評価した。
［評価基準］
○：トップ、ミドル、ベースノートの香りのバランスが非常に良く、良好な調和がとれている香り。
△〜○：トップ、ミドル、ベースノートの香りのバランスが良く、調和がとれている香り。
△：トップ、ミドル、ベースノートの香りのバランスがやや悪いが、やや調和がとれている香り。
×：トップ、ミドル、ベースノートの香りのバランスが悪く、全体的に調和がとれていない香り。【００７５】
＜総合評価＞
上記＜モデル介護臭のマスキング効果の評価＞と＜調合香料の香りの調和度の評価＞に基づいて、下記評価基準にて評価した。
◎：介護臭のマスキング効果及び調合香料の香りの調和度が両者共に「○」のもの。
○：介護臭のマスキング効果及び調合香料の香りの調和度が「○」一つ、「△〜○」一つのもの。
△〜○：介護臭のマスキング効果及び調合香料の香りの調和度が「△〜○」一つ、「△」一つのもの。
△：介護臭のマスキング効果及び調合香料の香りの調和度が両者共に「△」のもの×：介護臭のマスキング効果及び調合香料の香りの調和度が両者共に「×」のもの。【００７６】
【表１】
2019112041.tif 000002
【００７７】
【表２】
2019112041.tif 000003
【００７８】
表１及び２の結果から、本発明を適用した実施例１〜８は、モデル介護臭のマスキング効果において優れていた。
（ａ１）成分、（ａ２）成分、及び（ａ３）成分を含まない比較例１、（ａ２）成分、及び（ａ３）成分を含まない比較例２、（ａ１）成分、及び（ａ３）成分を含まない比較例３、（ａ１）成分、及び（ａ２）成分を含まない比較例４はいずれも、モデル介護臭のマスキング効果において劣っていた。
【産業上の利用可能性】
【００７９】
本発明によれば、介護臭のマスキング効果に優れ、かつ、香りの調和度に優れる香料組成物を提供することができる。
【国際調査報告】
2019112041.tif 000004
2019112041.tif 000005
2019112041.tif 000006
2019112041.tif 000007